【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
出発地と目的地とを含む経路探索要求に基づいて、経路探索用のネットワークデータを参照して交通機関を利用した経路区間を含む候補経路を少なくとも１つ探索する経路探索手段を有する経路情報配信システムにおいて、
前記経路情報配信システムは、経路情報案内サーバと、ネットワークを介して接続される端末装置からなり、
前記端末装置は、出発地と目的地とを含む経路探索要求を受け付ける操作受付手段と、前記候補経路を表示する表示手段と、を備え、
経路情報案内サーバは、前記端末装置の識別情報に対応して該端末装置に対する情報の配信先の情報と、所望する前記候補経路の情報とを登録する登録経路データベースと、任意の交通機関に関する交通情報を取得する交通情報取得手段と、配信時間帯算出手段と、配信情報判別手段と、運行情報配信手段と、を備え、
前記配信時間帯算出手段は、
前記登録された経路が１つであれば、前記登録された経路の交通機関を用いた経路区間の乗車時間に基づいて配信時間帯を算出し、
前記登録された経路が複数であれば、各経路の交通機関を用いた経路区間の乗車時間に基づいて配信時間帯を算出するとともに、各経路の交通機関を利用した経路区間が同一の種別の交通機関を用いる経路区間であった場合、前記配信時間帯は、前記同一の種別の交通機関を用いる全ての乗車時間を統合して算出し、
現在時刻が前記配信時間帯の範囲内である場合、前記交通情報取得手段は、前記登録された経路の交通機関を用いた経路区間に関する交通情報を取得し、前記配信情報判別手段は前記交通情報に交通機関の遅延に関する情報が含まれているか否かを判別し、前記遅延に関する情報が含まれている場合、前記運行情報配信手段は、前記端末装置の配信先に前記交通情報を配信することを特徴とする経路情報配信システム。
【請求項２】
前記配信時間帯は登録された経路毎に算出され、該当する経路の交通機関を利用した経路区間の乗車時間に所定の余裕時間を加えて算出されることを特徴とする請求項１に記載の経路情報配信システム。
【請求項３】
前記端末装置からの経路探索要求に基づいて経路情報案内サーバにおいて探索された経路が、前記登録経路データベースに登録された場合、前記配信時間帯算出手段は、前記登録経路の経路探索開始時刻を当該配信時間帯の開始時刻として、前記配信時間帯を算出することを特徴とする請求項１または請求項２に記載の経路情報配信システム。
【請求項４】
前記配信先の情報に従って配信される交通情報は、前記配信時間帯における交通情報取得手段が取得した交通機関に該当する交通機関の運行情報を含み、前記端末装置が経路の再探索を要求するためのＵＲＬであって、前記端末装置の位置取得手段を起動し現在位置を取得し、前記経路情報案内サーバに送信する指示命令を含むＵＲＬを含むことを特徴とする請求項１に記載の経路情報配信システム。
【請求項５】
出発地と目的地とを含む経路探索要求に基づいて、経路探索用のネットワークデータを参照して交通機関を利用した経路区間を含む候補経路を少なくとも１つ探索する経路探索手段と、
前記候補経路を表示する表示手段を有する端末装置と、
所望する前記候補経路の情報と登録する登録経路データベースと、
前記登録された経路が１つであれば、前記登録された経路の交通機関を用いた経路区間の乗車時間に基づいて配信時間帯を算出し、前記登録された経路が複数であれば、各経路の交通機関を用いた経路区間の乗車時間に基づいて配信時間帯を算出するとともに、各経路の交通機関を利用した経路区間が同一の種別の交通機関を用いる経路区間であった場合、前記配信時間帯は、前記同一の種別の交通機関を用いる全ての乗車時間を統合して算出する配信時間帯算出手段と、
現在時刻が前記配信時間帯の範囲内である場合、任意の交通機関に関する交通情報を取得する交通情報取得手段と、
前記交通情報に交通機関の遅延に関する情報が含まれているか否かを判別する配信情報判別手段と、
前記遅延に関する情報が含まれている場合、前記端末装置の配信先に前記交通情報を配信する運行情報配信手段と、を備えることを特徴とする経路情報配信システム。
【請求項６】
出発地と目的地とを含む経路探索要求に基づいて、経路探索用のネットワークデータを参照して交通機関を利用した経路区間を含む候補経路を少なくとも１つ探索する経路探索手段を備えた経路情報配信システムは、経路情報案内サーバと、ネットワークを介して接続される端末装置からなり、
前記端末装置は、出発地と目的地とを含む経路探索要求を受け付ける操作受付手段と、前記候補経路を表示する表示手段と、を備え、
前記経路情報案内サーバは、端末装置の識別情報に対応して該端末装置に対する情報の配信先の情報と、所望する前記候補経路の情報とを登録する登録経路データベースと、任意の交通機関に関する交通情報を取得する交通情報取得手段と、配信時間帯算出手段と、配信情報判別手段と、運行情報配信手段と、を備え、
前記配信時間帯算出手段は、
前記登録された経路が１つであれば、前記登録された経路の交通機関を用いた経路区間の乗車時間に基づいて配信時間帯を算出し、
前記登録された経路が複数であれば、各経路の交通機関を用いた経路区間の乗車時間に基づいて配信時間帯を算出するとともに、各経路の交通機関を利用した経路区間が同一の種別の交通機関を用いる経路区間であった場合、前記配信時間帯は、前記同一の種別の交通機関を用いる全ての乗車時間を統合して算出し、
現在時刻が前記配信時間帯の範囲内である場合、前記交通情報取得手段は、前記登録された経路の交通機関を用いた経路区間に関する交通情報を取得し、前記配信情報判別手段は前記交通情報に交通機関の遅延に関する情報が含まれているか否かを判別し、前記遅延に関する情報が含まれている場合、前記運行情報配信手段は、前記端末装置の配信先に前記交通情報を配信することを特徴とする経路情報案内サーバ。
【請求項７】
前記配信時間帯は登録された経路毎に算出され、該当する経路の交通機関を利用した経路区間の乗車時間に所定の余裕時間を加えて算出されることを特徴とする請求項６に記載の経路情報案内サーバ。
【請求項８】
前記端末装置からの経路探索要求に基づいて経路情報案内サーバにおいて探索された経路が、前記登録経路データベースに登録された場合、前記配信時間帯算出手段は、前記登録経路の経路探索開始時刻を当該配信時間帯の開始時刻として、前記配信時間帯を算出することを特徴とする請求項６または請求項７に記載の経路情報案内サーバ。
【請求項９】
前記配信先の情報に従って配信される交通情報は、前記配信時間帯における交通情報取得手段が取得した交通機関に該当する交通機関の運行情報を含み、前記端末装置が経路の再探索を要求するためのＵＲＬであって、前記端末装置の位置取得手段を起動し現在位置を取得し、前記経路情報案内サーバに送信する指示命令を含むＵＲＬを含むことを特徴とする請求項６に記載の経路情報案内サーバ。
【請求項１０】
出発地と目的地とを含む経路探索要求に基づいて、経路探索用のネットワークデータを参照して交通機関を利用した経路区間を含む候補経路を少なくとも１つ探索する経路探索手段を備えた経路情報配信システムは、経路情報案内サーバと、ネットワークを介して接続される端末装置からなり、
前記端末装置は、出発地と目的地とを含む経路探索要求を受け付ける操作受付手段と、前記候補経路を表示する表示手段と、を備え、
前記経路情報案内サーバは、端末装置の識別情報に対応して該端末装置に対する情報の配信先の情報と、所望する前記候補経路の情報とを登録する登録経路データベースと、任意の交通機関に関する交通情報を取得する交通情報取得手段と、配信時間帯算出手段と、配信情報判別手段と、運行情報配信手段と、を備え、
前記配信時間帯算出手段が、
前記登録された経路が１つであれば、前記登録された経路の交通機関を用いた経路区間の乗車時間に基づいて配信時間帯を算出し、前記登録された経路が複数であれば、各経路の交通機関を用いた経路区間の乗車時間に基づいて配信時間帯を算出するとともに、各経路の交通機関を利用した経路区間が同一の種別の交通機関を用いる経路区間であった場合、前記配信時間帯は、前記同一の種別の交通機関を用いる全ての乗車時間を統合して算出するステップと、現在時刻が前記配信時間帯の範囲内である場合、前記交通情報取得手段が、前記登録された経路の交通機関を用いた経路区間に関する交通情報を取得し、前記配信情報判別手段は前記交通情報に交通機関の遅延に関する情報が含まれているか否かを判別するステップと、前記遅延に関する情報が含まれている場合、前記運行情報配信手段が、前記端末装置の配信先に前記交通情報を配信することを特徴とする経路情報配信方法。
【請求項１１】
前記配信時間帯は登録された経路毎に算出され、該当する経路の交通機関を利用した経路区間の乗車時間に所定の余裕時間を加えて算出されることを特徴とする請求項１０に記載の経路情報配信方法。
【請求項１２】
前記端末装置からの経路探索要求に基づいて経路情報案内サーバにおいて探索された経路が、前記登録経路データベースに登録された場合、前記配信時間帯算出手段は、前記登録経路の経路探索開始時刻を当該配信時間帯の開始時刻として、前記配信時間帯を算出す
ることを特徴とする請求項１０または請求項１１に記載の経路情報配信方法。
【請求項１３】
前記配信先の情報に従って配信される交通情報は、前記配信時間帯における交通情報取得手段が取得した交通機関に該当する交通機関の運行情報を含み、前記端末装置が経路の再探索を要求するためのＵＲＬであって、前記端末装置の位置取得手段を起動し現在位置を取得し、前記経路情報案内サーバに送信する指示命令を含むＵＲＬを含むことを特徴とする請求項１０に記載の経路情報配信方法。
【請求項１４】
出発地と目的地とを含む経路探索要求に基づいて、経路探索用のネットワークデータを参照して交通機関を利用した経路区間を含む候補経路を少なくとも１つ探索する経路探索手段をを備えた経路情報配信システムは、経路情報案内サーバと、ネットワークを介して接続される端末装置からなり、
前記端末装置は、出発地と目的地とを含む経路探索要求を受け付ける操作受付手段と、前記候補経路を表示する表示手段と、を備え、
前記経路情報案内サーバは、端末装置の識別情報に対応して該端末装置に対する情報の配信先の情報と、所望する前記候補経路の情報とを登録する登録経路データベースと、任意の交通機関に関する交通情報を取得する交通情報取得手段と、配信時間帯算出手段と、配信情報判別手段と、運行情報配信手段と、を備え、
前記配信時間帯算出手段は、
前記登録された経路が１つであれば、前記登録された経路の交通機関を用いた経路区間の乗車時間に基づいて配信時間帯を算出し、
前記登録された経路が複数であれば、各経路の交通機関を用いた経路区間の乗車時間に基づいて配信時間帯を算出するとともに、各経路の交通機関を利用した経路区間が同一の種別の交通機関を用いる経路区間であった場合、前記配信時間帯は、前記同一の種別の交通機関を用いる全ての乗車時間を統合して算出し、
現在時刻が前記配信時間帯の範囲内である場合、前記交通情報取得手段は、前記登録された経路の交通機関を用いた経路区間に関する交通情報を取得し、前記配信情報判別手段は前記交通情報に交通機関の遅延に関する情報が含まれているか否かを判別し、前記遅延に関する情報が含まれている場合、前記運行情報配信手段は、前記端末装置の配信先に前記交通情報を配信し、
前記端末装置は、前記登録経路データベースに登録する端末装置の識別情報、配信先の情報を送信し、所望の経路を登録するための操作入力手段と、前記経路情報案内サーバから受信した交通情報を表示する表示手段と、を備えたことを特徴とする端末装置。
【手続補正２】
【補正対象書類名】明細書
【補正対象項目名】００１９
【補正方法】変更
【補正の内容】
【００１９】
前記課題を解決するために、本願の請求項１にかかる発明は、
出発地と目的地とを含む経路探索要求に基づいて、経路探索用のネットワークデータを参照して交通機関を利用した経路区間を含む候補経路を少なくとも１つ探索する経路探索手段を有する経路情報配信システムにおいて、
前記経路情報配信システムは、経路情報案内サーバと、ネットワークを介して接続される端末装置からなり、
前記端末装置は、出発地と目的地とを含む経路探索要求を受け付ける操作受付手段と、前記候補経路を表示する表示手段と、を備え、
経路情報案内サーバは、前記端末装置の識別情報に対応して該端末装置に対する情報の配信先の情報と、所望する前記候補経路の情報とを登録する登録経路データベースと、任意の交通機関に関する交通情報を取得する交通情報取得手段と、配信時間帯算出手段と、配信情報判別手段と、運行情報配信手段と、を備え、
前記配信時間帯算出手段は、
前記登録された経路が１つであれば、前記登録された経路の交通機関を用いた経路区間の乗車時間に基づいて配信時間帯を算出し、
前記登録された経路が複数であれば、各経路の交通機関を用いた経路区間の乗車時間に基づいて配信時間帯を算出するとともに、各経路の交通機関を利用した経路区間が同一の種別の交通機関を用いる経路区間であった場合、前記配信時間帯は、前記同一の種別の交通機関を用いる全ての乗車時間を統合して算出し、
現在時刻が前記配信時間帯の範囲内である場合、前記交通情報取得手段は、前記登録された経路の交通機関を用いた経路区間に関する交通情報を取得し、前記配信情報判別手段は前記交通情報に交通機関の遅延に関する情報が含まれているか否かを判別し、前記遅延に関する情報が含まれている場合、前記運行情報配信手段は、前記端末装置の配信先に前記交通情報を配信することを特徴とする。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２５
【補正方法】変更
【補正の内容】
【００２５】
本願の請求項４にかかる発明は、請求項１にかかる経路情報配信システムにおいて、前記配信先の情報に従って配信される交通情報は、前記配信時間帯における交通情報取得手段が取得した交通機関に該当する交通機関の運行情報を含み、前記端末装置が経路の再探索を要求するためのＵＲＬであって、前記端末装置の位置取得手段を起動し現在位置を取得し、前記経路情報案内サーバに送信する指示命令を含むＵＲＬを含むことを特徴とする。
【手続補正７】
【補正対象書類名】明細書
【補正対象項目名】００２６
【補正方法】変更
【補正の内容】
【００２６】
本願の請求項５にかかる発明は、
出発地と目的地とを含む経路探索要求に基づいて、経路探索用のネットワークデータを参照して交通機関を利用した経路区間を含む候補経路を少なくとも１つ探索する経路探索手段と、
前記候補経路を表示する表示手段を有する端末装置と、
所望する前記候補経路の情報と登録する登録経路データベースと、
前記登録された経路が１つであれば、前記登録された経路の交通機関を用いた経路区間の乗車時間に基づいて配信時間帯を算出し、前記登録された経路が複数であれば、各経路の交通機関を用いた経路区間の乗車時間に基づいて配信時間帯を算出するとともに、各経路の交通機関を利用した経路区間が同一の種別の交通機関を用いる経路区間であった場合、前記配信時間帯は、前記同一の種別の交通機関を用いる全ての乗車時間を統合して算出する配信時間帯算出手段と、
現在時刻が前記配信時間帯の範囲内である場合、任意の交通機関に関する交通情報を取得する交通情報取得手段と、
前記交通情報に交通機関の遅延に関する情報が含まれているか否かを判別する配信情報判別手段と、
前記遅延に関する情報が含まれている場合、前記端末装置の配信先に前記交通情報を配信する運行情報配信手段と、を備えることを特徴とする。
【手続補正８】
【補正対象書類名】明細書
【補正対象項目名】００２７
【補正方法】変更
【補正の内容】
【００２７】
また、本願の請求項６にかかる発明は、
出発地と目的地とを含む経路探索要求に基づいて、経路探索用のネットワークデータを参照して交通機関を利用した経路区間を含む候補経路を少なくとも１つ探索する経路探索手段を備えた経路情報配信システムは、経路情報案内サーバと、ネットワークを介して接続される端末装置からなり、
前記端末装置は、出発地と目的地とを含む経路探索要求を受け付ける操作受付手段と、前記候補経路を表示する表示手段と、を備え、
前記経路情報案内サーバは、端末装置の識別情報に対応して該端末装置に対する情報の配信先の情報と、所望する前記候補経路の情報とを登録する登録経路データベースと、任意の交通機関に関する交通情報を取得する交通情報取得手段と、配信時間帯算出手段と、配信情報判別手段と、運行情報配信手段と、を備え、
前記配信時間帯算出手段は、
前記登録された経路が１つであれば、前記登録された経路の交通機関を用いた経路区間の乗車時間に基づいて配信時間帯を算出し、
前記登録された経路が複数であれば、各経路の交通機関を用いた経路区間の乗車時間に基づいて配信時間帯を算出するとともに、各経路の交通機関を利用した経路区間が同一の種別の交通機関を用いる経路区間であった場合、前記配信時間帯は、前記同一の種別の交通機関を用いる全ての乗車時間を統合して算出し、
現在時刻が前記配信時間帯の範囲内である場合、前記交通情報取得手段は、前記登録された経路の交通機関を用いた経路区間に関する交通情報を取得し、前記配信情報判別手段は前記交通情報に交通機関の遅延に関する情報が含まれているか否かを判別し、前記遅延に関する情報が含まれている場合、前記運行情報配信手段は、前記端末装置の配信先に前記交通情報を配信することを特徴とする。
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】変更
【補正の内容】
【００３４】
本願の請求項９にかかる発明は、請求項６にかかる経路情報案内サーバにおいて、前記配信先の情報に従って配信される交通情報は、前記配信時間帯における交通情報取得手段が取得した交通機関に該当する交通機関の運行情報を含み、前記端末装置が経路の再探索を要求するためのＵＲＬであって、前記端末装置の位置取得手段を起動し現在位置を取得し、前記経路情報案内サーバに送信する指示命令を含むＵＲＬを含むことを特徴とする。
【手続補正１４】
【補正対象書類名】明細書
【補正対象項目名】００３５
【補正方法】変更
【補正の内容】
【００３５】
また、本願の請求項１０にかかる発明は、
出発地と目的地とを含む経路探索要求に基づいて、経路探索用のネットワークデータを参照して交通機関を利用した経路区間を含む候補経路を少なくとも１つ探索する経路探索手段を備えた経路情報配信システムは、経路情報案内サーバと、ネットワークを介して接続される端末装置からなり、
前記端末装置は、出発地と目的地とを含む経路探索要求を受け付ける操作受付手段と、前記候補経路を表示する表示手段と、を備え、
前記経路情報案内サーバは、端末装置の識別情報に対応して該端末装置に対する情報の配信先の情報と、所望する前記候補経路の情報とを登録する登録経路データベースと、任意の交通機関に関する交通情報を取得する交通情報取得手段と、配信時間帯算出手段と、配信情報判別手段と、運行情報配信手段と、を備え、
前記配信時間帯算出手段が、
前記登録された経路が１つであれば、前記登録された経路の交通機関を用いた経路区間の乗車時間に基づいて配信時間帯を算出し、前記登録された経路が複数であれば、各経路の交通機関を用いた経路区間の乗車時間に基づいて配信時間帯を算出するとともに、各経路の交通機関を利用した経路区間が同一の種別の交通機関を用いる経路区間であった場合、前記配信時間帯は、前記同一の種別の交通機関を用いる全ての乗車時間を統合して算出するステップと、現在時刻が前記配信時間帯の範囲内である場合、前記交通情報取得手段が、前記登録された経路の交通機関を用いた経路区間に関する交通情報を取得し、前記配信情報判別手段は前記交通情報に交通機関の遅延に関する情報が含まれているか否かを判別するステップと、前記遅延に関する情報が含まれている場合、前記運行情報配信手段が、前記端末装置の配信先に前記交通情報を配信することを特徴とする。
【手続補正１５】
【補正対象書類名】明細書
【補正対象項目名】００３６
【補正方法】削除
【補正の内容】
【手続補正１６】
【補正対象書類名】明細書
【補正対象項目名】００３７
【補正方法】削除
【補正の内容】
【手続補正１７】
【補正対象書類名】明細書
【補正対象項目名】００３８
【補正方法】削除
【補正の内容】
【手続補正１８】
【補正対象書類名】明細書
【補正対象項目名】００３９
【補正方法】変更
【補正の内容】
【００３９】
本願の請求項１１にかかる発明は、請求項１０にかかる経路情報配信方法において、前記配信時間帯は登録された経路毎に算出され、該当する経路の交通機関を利用した経路区間の乗車時間に所定の余裕時間を加えて算出されることを特徴とする。
【手続補正１９】
【補正対象書類名】明細書
【補正対象項目名】００４０
【補正方法】変更
【補正の内容】
【００４０】
本願の請求項１２にかかる発明は、請求項１０または請求項１１にかかる経路情報配信方法において、前記端末装置からの経路探索要求に基づいて経路情報案内サーバにおいて探索された経路が、前記登録経路データベースに登録された場合、前記配信時間帯算出手段は、前記登録経路の経路探索開始時刻を当該配信時間帯の開始時刻として、前記配信時間帯を算出することを特徴とする。
【手続補正２０】
【補正対象書類名】明細書
【補正対象項目名】００４１
【補正方法】削除
【補正の内容】
【手続補正２１】
【補正対象書類名】明細書
【補正対象項目名】００４２
【補正方法】変更
【補正の内容】
【００４２】
本願の請求項１３にかかる発明は、請求項１０にかかる経路情報配信方法において、前記配信先の情報に従って配信される交通情報は、前記配信時間帯における交通情報取得手段が取得した交通機関に該当する交通機関の運行情報を含み、前記端末装置が経路の再探索を要求するためのＵＲＬであって、前記端末装置の位置取得手段を起動し現在位置を取得し、前記経路情報案内サーバに送信する指示命令を含むＵＲＬを含むことを特徴とする。
【手続補正２２】
【補正対象書類名】明細書
【補正対象項目名】００４３
【補正方法】変更
【補正の内容】
【００４３】
また、本願の請求項１６にかかる発明は、
出発地と目的地とを含む経路探索要求に基づいて、経路探索用のネットワークデータを参照して交通機関を利用した経路区間を含む候補経路を少なくとも１つ探索する経路探索手段を備えた経路情報配信システムは、経路情報案内サーバと、ネットワークを介して接続される端末装置からなり、
前記端末装置は、出発地と目的地とを含む経路探索要求を受け付ける操作受付手段と、前記候補経路を表示する表示手段と、を備え、
前記経路情報案内サーバは、端末装置の識別情報に対応して該端末装置に対する情報の配信先の情報と、所望する前記候補経路の情報とを登録する登録経路データベースと、任意の交通機関に関する交通情報を取得する交通情報取得手段と、配信時間帯算出手段と、配信情報判別手段と、運行情報配信手段と、を備え、
前記配信時間帯算出手段は、
前記登録された経路が１つであれば、前記登録された経路の交通機関を用いた経路区間の乗車時間に基づいて配信時間帯を算出し、
前記登録された経路が複数であれば、各経路の交通機関を用いた経路区間の乗車時間に基づいて配信時間帯を算出するとともに、各経路の交通機関を利用した経路区間が同一の種別の交通機関を用いる経路区間であった場合、前記配信時間帯は、前記同一の種別の交通機関を用いる全ての乗車時間を統合して算出し、
現在時刻が前記配信時間帯の範囲内である場合、前記交通情報取得手段は、前記登録された経路の交通機関を用いた経路区間に関する交通情報を取得し、前記配信情報判別手段は前記交通情報に交通機関の遅延に関する情報が含まれているか否かを判別し、前記遅延に関する情報が含まれている場合、前記運行情報配信手段は、前記端末装置の配信先に前記交通情報を配信し、
前記端末装置は、前記登録経路データベースに登録する端末装置の識別情報、配信先の情報を送信し、所望の経路を登録するための操作入力手段と、前記経路情報案内サーバから受信した交通情報を表示する表示手段と、を備えたことを特徴とする。
【手続補正２３】
【補正対象書類名】明細書
【補正対象項目名】００４４
【補正方法】削除
【補正の内容】
【手続補正２４】
【補正対象書類名】明細書
【補正対象項目名】００４５
【補正方法】削除
【補正の内容】
【手続補正２５】
【補正対象書類名】明細書
【補正対象項目名】００４６
【補正方法】削除
【補正の内容】
【手続補正２６】
【補正対象書類名】明細書
【補正対象項目名】００４７
【補正方法】削除
【補正の内容】
【手続補正２７】
【補正対象書類名】明細書
【補正対象項目名】００４８
【補正方法】変更
【補正の内容】
【００４８】
請求項１にかかる発明においては、前記経路情報配信システムは、経路情報案内サーバと、ネットワークを介して接続される端末装置からなり、
前記端末装置は、出発地と目的地とを含む経路探索要求を受け付ける操作受付手段と、前記候補経路を表示する表示手段と、を備え、
経路情報案内サーバは、前記端末装置の識別情報に対応して該端末装置に対する情報の配信先の情報と、所望する前記候補経路の情報とを登録する登録経路データベースと、任意の交通機関に関する交通情報を取得する交通情報取得手段と、配信時間帯算出手段と、配信情報判別手段と、運行情報配信手段と、を備え、
前記配信時間帯算出手段は、
前記登録された経路が１つであれば、前記登録された経路の交通機関を用いた経路区間の乗車時間に基づいて配信時間帯を算出し、
前記登録された経路が複数であれば、各経路の交通機関を用いた経路区間の乗車時間に基づいて配信時間帯を算出するとともに、各経路の交通機関を利用した経路区間が同一の種別の交通機関を用いる経路区間であった場合、前記配信時間帯は、前記同一の種別の交通機関を用いる全ての乗車時間を統合して算出し、
現在時刻が前記配信時間帯の範囲内である場合、前記交通情報取得手段は、前記登録された経路の交通機関を用いた経路区間に関する交通情報を取得し、前記配信情報判別手段は前記交通情報に交通機関の遅延に関する情報が含まれているか否かを判別し、前記遅延に関する情報が含まれている場合、前記運行情報配信手段は、前記端末装置の配信先に前記交通情報を配信する。
【手続補正２８】
【補正対象書類名】明細書
【補正対象項目名】００４９
【補正方法】変更
【補正の内容】
【００４９】
また、請求項５にかかる発明は、
出発地と目的地とを含む経路探索要求に基づいて、経路探索用のネットワークデータを参照して交通機関を利用した経路区間を含む候補経路を少なくとも１つ探索する経路探索手段と、
前記候補経路を表示する表示手段を有する端末装置と、
所望する前記候補経路の情報と登録する登録経路データベースと、
前記登録された経路が１つであれば、前記登録された経路の交通機関を用いた経路区間の乗車時間に基づいて配信時間帯を算出し、前記登録された経路が複数であれば、各経路の交通機関を用いた経路区間の乗車時間に基づいて配信時間帯を算出するとともに、各経路の交通機関を利用した経路区間が同一の種別の交通機関を用いる経路区間であった場合、前記配信時間帯は、前記同一の種別の交通機関を用いる全ての乗車時間を統合して算出する配信時間帯算出手段と、
現在時刻が前記配信時間帯の範囲内である場合、任意の交通機関に関する交通情報を取得する交通情報取得手段と、
前記交通情報に交通機関の遅延に関する情報が含まれているか否かを判別する配信情報判別手段と、
前記遅延に関する情報が含まれている場合、前記端末装置の配信先に前記交通情報を配信する運行情報配信手段と、を備える。
【手続補正２９】
【補正対象書類名】明細書
【補正対象項目名】００５０
【補正方法】変更
【補正の内容】
【００５０】
こ請求項１、請求項５の発明のような構成によれば、端末装置は、経路情報案内サーバに最初に送信した端末識別情報に関連付けて、所望の経路のデータまたは経路情報案内サーバに送信した経路探索条件に従って探索された経路のデータを登録経路データベースに記憶しておくことで、端末装置は常に経路案内の表示を行っていなくても、経路情報案内サーバから必要な交通情報をメール配信で受信して確認することができるので、経路案内の表示のための消費電力を削減することが可能になる。また、常に端末装置が位置検出手段で位置検出して、その位置情報を経路情報案内サーバに送信する必要がなく、経路情報案内サーバから必要な交通情報をメール配信で受信して確認することができるので、端末装置において位置取得と位置情報などの情報送信を行うための消費電力を削減することが可能になる。また、登録された複数の経路において、交通機関を用いた経路区間がそれぞれ、異なる経路区間、異なる乗車時間であった場合でも、同一路線の経路区間であれば、その時間帯の全てをカバーするように配信時間帯が算出され、端末装置は、その間、当該路線に関する交通情報を取得することができるようになる。
【手続補正３０】
【補正対象書類名】明細書
【補正対象項目名】００５５
【補正方法】削除
【補正の内容】
【手続補正３１】
【補正対象書類名】明細書
【補正対象項目名】００５６
【補正方法】削除
【補正の内容】
【手続補正３２】
【補正対象書類名】明細書
【補正対象項目名】００５７
【補正方法】変更
【補正の内容】
【００５７】
また、請求項４にかかる発明においては、請求項１にかかる経路情報配信システムにおいて、前記配信先の情報に従って配信される交通情報は、前記配信時間帯における交通情報取得手段が取得した交通機関に該当する交通機関の運行情報を含み、前記端末装置が経路の再探索を要求するためのＵＲＬであって、前記端末装置の位置取得手段を起動し現在位置を取得し、前記経路情報案内サーバに送信する指示命令を含むＵＲＬを含む。
【手続補正３３】
【補正対象書類名】明細書
【補正対象項目名】００５９
【補正方法】変更
【補正の内容】
【００５９】
また、請求項６ないし請求９にかかる発明においては、請求項１ないし請求項５にかかる経路情報配信システムを構成する経路情報案内サーバを提供することができるようになる。また、請求項１０ないし請求項１３にかかる発明においては、請求項１ないし請求項５にかかる経路情報配信システムを実現する経路情報配信方法を提供することができ、請求項１４にかかる発明においては、請求項１ないし請求項５にかかる経路情報配信システムを構成する端末装置を提供することができるようになる。